(57)【要約】【課題】交換作業の容易化やスペース効率を向上させ、部品点数の増加やコスト高を防いでヒンジ機構の回転や着脱を容易化し、これらを一定の場合に実現できる遊技機のヒンジ機構を提供する。【解決手段】ヒンジ機構３０を、第一の収納ケース２０の第一の支持軸３１と、第一の収納ケース２０の第二の支持軸３６と、第二の収納ケース２０Ａの第一の爪３８と、第二の収納ケース２０Ａの第二の爪４２とから構成し、第一の支持軸３１の着脱可能域３３に第一の爪３８が嵌合した場合に、第二の収納ケース２０Ａのスライドと着脱を可能とし、第二の収納ケース２０Ａの揺動を規制する。第一の支持軸３１の着脱不能域３４に第一の爪３８がスライドし、第二の支持軸３６に第二の爪４２が対向した場合に、第二の収納ケース２０Ａの揺動を可能とし、第二の収納ケース２０Ａの着脱を規制し、揺動した第二の収納ケース２０Ａのスライドを規制する。【選択図】  図７
2004313330.tif 000002
【特許請求の範囲】
【請求項１】
第一、第二の回転体をヒンジ機構により接合する遊技機のヒンジ機構であって、
ヒンジ機構を、第一の回転体に設けられる複数の第一の支持軸と、第一の回転体に設けられる第二の支持軸と、第二の回転体に設けられて第一の支持軸に嵌まる複数の第一の爪と、第二の回転体に設けられて第二の支持軸に対向可能な第二の爪とから構成し、各第一の支持軸における周面長手方向の一部を着脱可能域に、周面長手方向の残部を着脱不能域にそれぞれ形成し、少なくとも一の着脱可能域に規制リブを設け、
各第一の支持軸の着脱可能域に第一の爪が嵌まる場合には、第一の支持軸に沿う第二の回転体のスライドと着脱とを可能にするとともに、規制リブにより第一、第二の回転体の回転を規制し、
各第一の支持軸に嵌まった第一の爪が着脱可能域から着脱不能域にスライドし、第二の支持軸に第二の爪が対向する場合には、第一、第二の回転体の回転を可能とし、所定の角度で回転した第二の回転体の着脱可能域へのスライドを規制リブにより規制するようにしたことを特徴とする遊技機のヒンジ機構。
【請求項２】
第一、第二の回転体を遊技機の背面に取り付けるとともに、これら第一、第二の回転体の少なくともいずれか一方を、回路部品を収納するケースと、このケースの開口面を開閉する蓋体とから構成するようにした請求項１記載の遊技機のヒンジ機構。
【請求項３】
各第一の爪に、第一の支持軸に嵌まる凹部を形成してこの凹部の嵌まる方向と第二の爪の対向する方向とを反対方向とし、各第一の支持軸に嵌まった第一の爪が着脱可能域から着脱不能域にスライドし、第二の支持軸に第二の爪が対向する場合には、第二の回転体の着脱を第一、第二の爪の挟み込みにより規制するようにした請求項１又は２記載の遊技機のヒンジ機構。
【請求項４】
第一の回転体に、第二の支持軸の端部を支持する支持板を設け、第二の回転体が着脱不能域にスライドして所定の角度で回転した場合に、支持板と第二の爪とを接触させて第二の回転体の着脱可能域へのスライドを規制するようにした請求項１、２、又は３記載の遊技機のヒンジ機構。
【発明の詳細な説明】
【０００１】
【発明の属する技術分野】
本発明は、遊技媒体を用いて遊技する所謂パチンコ機等からなる遊技機のヒンジ機構に関し、より詳しくは、ヒンジ機構の改良に関するものである。
【０００２】
【従来の技術】
従来の遊技機には、図示しないが、電気的に遊技制御を処理する主制御装置、及びこの主制御装置により生成される処理情報を得ることにより、所定の出力態様処理を行う副制御装置が他の装置と共に設置されているが、これら制御装置を構成する回路基板や接続端子等は、工場の生産ラインで遊技機の背面に収納ケースを介し単に装着されている。
【０００３】
【発明が解決しようとする課題】
従来における遊技機の回路基板や接続端子等は、以上のように収納ケースを介して単に装着され、装着強度以外の点については特に考慮されていないので、開発段階の設計変更や機種の変更に伴い、交換の必要に迫られても、交換作業が実に困難であるという問題がある。この問題は、技術的な性能と同様に美的外観等が重視され、流行等により左右されてライフサイクルが比較的短く、回路基板等の交換頻度の高い遊技機の場合にはきわめて重大である。また、予め定められた装着箇所に回路基板等が収納ケースを介し画一的に装着されるに過ぎないので、スペース効率の向上に資することができない。
【０００４】
このような問題を解消する方法としては、遊技機の背面に、作業状態に応じて揺動可能なヒンジ機構で接合された収納ケースを設置し、この収納ケースに回路基板等を収納する方法があげられる。
しかしながら、この方法では、交換作業の容易化やスペース効率の向上を図ることができるものの、一般的な従来のヒンジ機構の使用に止まるので、収納ケースの回転や着脱に少なからず支障を来たすという問題がある。勿論、ヒンジ機構の回転や着脱を容易化する方法も提案されているが、多くの場合、無視できない部品点数の増加やコスト高を招き、到底現実的とはいえない。さらに、ヒンジ機構の回転や着脱を無条件に可能ならしめると、例えば製品の運搬中に収納ケースが簡単に脱落し、結果として回路基板等が損傷してしまうという大きな問題が新たに生じることとなる。
【０００５】
本発明は、上記に鑑みなされたもので、交換作業の容易化やスペース効率の向上を図ることができるとともに、部品点数の増加やコスト高を招くことなく、ヒンジ機構の回転や着脱を容易化し、しかも、このヒンジ機構の回転や着脱を一定の場合にのみ実現することのできる遊技機のヒンジ機構を提供することを目的としている。
【０００６】
【課題を解決するための手段】
本発明においては、上記課題を達成するため、第一、第二の回転体をヒンジ機構により接合するものであって、
ヒンジ機構を、第一の回転体に設けられる複数の第一の支持軸と、第一の回転体に設けられる第二の支持軸と、第二の回転体に設けられて第一の支持軸に嵌まる複数の第一の爪と、第二の回転体に設けられて第二の支持軸に対向可能な第二の爪とから構成し、各第一の支持軸における周面長手方向の一部を着脱可能域に、周面長手方向の残部を着脱不能域にそれぞれ形成し、少なくとも一の着脱可能域に規制リブを設け、
各第一の支持軸の着脱可能域に第一の爪が嵌まる場合には、第一の支持軸に沿う第二の回転体のスライドと着脱とを可能にするとともに、規制リブにより第一、第二の回転体の回転を規制し、
各第一の支持軸に嵌まった第一の爪が着脱可能域から着脱不能域にスライドし、第二の支持軸に第二の爪が対向する場合には、第一、第二の回転体の回転を可能とし、所定の角度で回転した第二の回転体の着脱可能域へのスライドを規制リブにより規制するようにしたことを特徴としている。
【０００７】
なお、第一、第二の回転体を遊技機の背面に取り付けるとともに、これら第一、第二の回転体の少なくともいずれか一方を、回路部品を収納するケースと、このケースの開口面を開閉する蓋体とから構成することができる。
また、各第一の爪に、第一の支持軸に嵌まる凹部を形成してこの凹部の嵌まる方向と第二の爪の対向する方向とを反対方向とし、各第一の支持軸に嵌まった第一の爪が着脱可能域から着脱不能域にスライドし、第二の支持軸に第二の爪が対向する場合には、第二の回転体の着脱を第一、第二の爪の挟み込みにより規制することができる。
【０００８】
さらに、第一の回転体に、第二の支持軸の端部を支持する支持板を設け、第二の回転体が着脱不能域にスライドして所定の角度で回転した場合に、支持板と第二の爪とを接触させて第二の回転体の着脱可能域へのスライドを規制することもできる。
【０００９】
ここで特許請求の範囲における第一、第二の回転体は、主に遊技機背面の上下方向や左右方向に適宜取り付けられるが、遊技機の正面や内部の上下方向や左右方向に適宜取り付けられるものでも良く、いずれか一方が固定されて他方の回転を支持するものでも良い。この第一、第二の回転体は、同じ大きさ・形状でも良いし、異なる大きさ・形状でも良く、又収納機能の有無を特に問うものではない。このように第一、第二の回転体は、収納機能を有しない板体等でも良いが、少なくともいずれか一方がケースの場合には、各種の回路部品、具体的には、回路基板、これに実装される電子部品や電気部品、液晶ユニット、接続端子、これらを含む各種の制御装置等が単数複数収納される。
【００１０】
規制リブは、細長い棒形に形成することもできるし、一列に並んだ複数の突起等とすることもできる。回転という用語は、実質的に理解されなければならず、相対的な回転、回動、揺動が含まれる。また、第一の爪の凹部は、半円形、Ｃ字形、Ｕ字形、あるいはこれらに類似の形状に形成される。第二の支持軸に第二の爪が対向する場合、第二の支持軸の周面に第二の爪が僅かな隙間を介し対向しても良いし、接触しても良い。本発明に係る遊技機は、遊技媒体（遊技球又はメダル等）の供給に基づき、遊技を行わせる機器であれば、パチンコ機に限定されるものではなく、例えばピンボールマシン、スロットマシン、パチスロ機等の他のタイプでも良い。さらに、遊技機の背面という場合には、遊技機を構成する本体部材の背面、遊技盤の背面、遊技盤を支持固定する支持体の背面のいずれもが含まれる。
【００１１】
【発明の実施の形態】
以下、図面を参照して本発明の好ましい実施形態を説明すると、本実施形態における遊技機のヒンジ機構は、図１ないし図１８に示すように、遊技機１と、この遊技機１の背面に設置される第一、第二の収納ケース２０・２０Ａとを備え、これら第一、第二の収納ケース２０・２０Ａをヒンジ機構３０により相対的に揺動可能・着脱自在に接合するようにしている。
【００１２】
遊技機１は、遊技機設置営業店（例：所謂ホール）に設置され、遊技球又はメダル等からなる遊技媒体の供給に基づき、図示しない遊技者に遊技を行わせるよう機能する。この遊技機１は、風営適正化法の基準により、遊技（ゲーム）性に応じて複数種に分類されるが、本実施形態では遊技媒体として遊技球（例：約１１ミリメートルの球体）を用いる弾球遊技機（例：所謂、パチンコ機）を例にあげて説明する。
【００１３】
弾球遊技機は、上記のように遊技性に応じて分類されるが、遊技構成の違いから、さらに複数種に分類される。例えば、（１）予め定められた入賞口に遊技球を受け入れさせる入賞状態にすることにより、電子的な当否抽選をし、当選の場合には、通常状態から遊技者にとって有利な遊技状態に移行させるようにする第一種特別電動役物、（２）可動片により規制された入賞領域に遊技球を受容させ、機械的な遊技球振り分け装置の動作に基づき、予め定められた入賞口に到達させて入賞状態とすることにより、通常状態から遊技者にとって有利な遊技状態に移行させるようにする第二種特別電動役物、（３）通常状態から遊技者にとって有利な遊技状態に移行させる条件が満たされた場合に、有利な状態にするため、予め定められた入賞口に遊技球を受け入れさせる入賞状態にする条件が必要となる第三種特別電動役物等に分類される。
【００１４】
本実施形態では、第一種特別電動役物で、かつ使用する遊技球を遊技機設置営業店から借りる形態が、現金を直接的に使用せずにプリペイドカードを購入し、このプリペイドカードとプリペイドカードユニット（ＣＲユニットともいう）と呼ばれる弾球遊技機の側方に備えられる装置とを用いて遊技球を借り受けるタイプを例示する。
【００１５】
第一種特別電動役物からなる遊技機１は、図１や図２に示すように、遊技機設置営業店の設置場所（例：所謂、島設備）に固定される外枠２と、この外枠２の一側部にヒンジ体を介して開閉揺動可能に軸支され、外枠２内に嵌合する本体部材（外枠２により視認できない関係上、詳細は図示せず）３と、この本体部材３の一側部に開閉揺動可能に軸支されて遊技機正面側の上方向に位置する施錠機構付きの開口枠扉１０と、本体部材３の一側部に開閉揺動可能に軸支されて遊技機正面側の下方向に位置し、複数の遊技球（図示せず）を球受皿１４に貯留する施錠機構付きの球受皿付き扉１５と、この球受皿扉１５に設置されて球受皿１４に貯留された遊技球を発射駆動装置（図示せず）に案内する通路（図示せず）と、発射駆動装置に案内された遊技球を遊技盤（図示せず）内の遊技領域に打出させる操作用の回転式操作ハンドル１６と、プリペイドカード読込み処理関係、及び借り受ける遊技球の貸出し処理関係の指示に係る第一の操作部１７と、貯留された遊技球を遊技球収集箱（例：所謂、ドル箱）に排出解除させる排出ボタンを備えた複数の第二の操作部１７Ａとから構成される。
【００１６】
外枠２は、複数の木材を組み合わせて縦長の長方形に形成され、一側部にヒンジ体が螺着される。本体部材３は、縦長の長方形に形成され、木製の遊技盤が着脱自在に装着されており、遊技機基軸体として機能する。この本体部材３の背面部には同図に示すように、本体部材３、遊技盤、又はこれらに装着される支持体等を介して電気的に遊技制御を処理する主制御装置４、この主制御装置４により生成される処理情報を得ることにより、所定の出力態様処理を行う複数の副制御装置、遊技球払出装置５、球貸信号制御装置（図示せず）、可動物制御装置（図示せず）、遊技領域に打ち出された遊技球を遊技盤の裏側に回収するための回収通路（例：所謂、集合樋）６、遊技球払出装置５の動作に基づき、払出される遊技球を複数貯留する貯留タンク７、遊技球の払い出し時に用いられる通路（図示せず）、発射制御装置８、発射駆動装置、電源供給装置９等が配設される。
【００１７】
開口枠扉１０には図１に示すように、ガラス製又は樹脂製の透明板部材１１、電飾、左右一対のスピーカ１２等が配設され、透明板部材１１の略中央部付近には、視認用の透視ウインド１３が形成されており、この透視ウインド１３が本体部材３の遊技盤に対応する。球受皿付き扉１５の表面一側部には、上下方向に回転可能な灰皿１８等が嵌合支持される。
【００１８】
第一、第二の収納ケース２０・２０Ａは、図１ないし図４等に示すように、例えば第一の収納ケース２０が第二の収納ケース２０Ａよりも大きく成形され、本体部材３の背面左右方向にカシメロック機構５０を介して設置されており、このカシメロック機構５０が不正な収納ケースの開閉を有効に抑制防止する。これら第一、第二の収納ケース２０・２０Ａは、主制御装置４や副制御装置のランプ用又は音声用の回路基板ＣＳ等を着脱自在に収納するケース２１と、このケース２１の開口表面を開閉する蓋体２２とから構成され、これらケース２１と蓋体２２とがそれぞれ所定の合成樹脂により視覚的に透視可能なように射出成形される。
【００１９】
ケース２１は、図３ないし図６等に示すように、例えば耐衝撃性や耐熱性等に優れるポリカーボネート等を使用して平面略長方形で底の浅い箱形に形成される。このケース２１は、その内底面に、回路基板ＣＳの搭載や位置決め機能を発揮する複数のリブが突設され、この他にも、必要に応じて単数複数のリブが突設されたり、単数複数の貫通口、溝、螺子孔等が穿孔される。
【００２０】
蓋体２２は、図３や図４等に示すように、例えばポリカーボネート等を使用して平面略長方形の板形に形成され、ケース２１の開口表面を嵌合して閉塞したり、長手方向にスライドして閉塞したり、あるいはケース２１の回転軸を中心に揺動して閉塞する。この蓋体２２にも必要に応じ、単数複数のリブが突設されたり、単数複数の貫通口、溝、螺子孔等が穿孔される。蓋体２２は、本実施形態では板形に形成されるが、必要に応じて断面略Ｕ字の箱形等に形成される。
【００２１】
ヒンジ機構３０は、同図に示すように、第一の収納ケース２０の側方一壁面から突出して所定の間隔で並設される一対の第一の支持軸３１と、第一の収納ケース２０の側方一壁面から突出して一対の第一の支持軸３１の間に介在する第二の支持軸３６と、第二の収納ケース２０Ａの側方一壁面から突出して並設され、各第一の支持軸３１に揺動（回転でもある、以下同じ）可能、かつスライド可能に嵌合する一対の第一の爪３８と、第二の収納ケース２０Ａの側方一壁面から突出して第二の支持軸３６の軸方向（上下方向）に対し進退動する第二の爪４２とから構成される。このような構成のヒンジ機構３０により、第一の収納ケース２０と第二の収納ケース２０Ａとは着脱自在に一体化されることとなる。
【００２２】
各第一の支持軸３１は、透明の円柱形に形成され、第一の収納ケース２０の側方一壁面に突設された一対の支持リブ３２間に架設されており、第一の収納ケース２０の長手方向（上下方向）に指向する。この第一の支持軸３１は、その周面長手方向の略上半分が着脱可能域３３に、周面長手方向の略下半分の残部が着脱不能域３４にそれぞれ区画形成され、着脱可能域３３の周面所定部分には軸方向（上下方向）に伸びる細長い棒形の規制リブ３５が突設される。
【００２３】
第二の支持軸３６は、第一の支持軸３１よりも短い透明の円柱形に形成され、第一の収納ケース２０の側方一壁面に突設された一対の支持板３７・３７Ａ間に架設されており、第一の収納ケース２０の長手方向に設けられた第一の支持軸３１方向に指向する。支持板３７は、第二の支持軸３６の端部周縁付近を支持し、所定の位置で進退動する第二の爪４２の障害物とならないよう機能する。
【００２４】
各第一の爪３８は、図３、図５、図９、図１０等に示すように、第二の収納ケース２０Ａの側方一壁面に設けられた保持リブ３９を介して突設され、その先端部付近に略半楕円形の凹部４０が湾曲形成されており、この凹部４０が第一の支持軸３１を嵌合抱持する。また、第二の爪４２は、図３、図１５、図１６、図１７等に示すように、基本的には第二の支持軸３６の周面に先端部４３が対向して重なるよう断面略多角形に形成され、第二の収納ケース２０Ａの側方一壁面に設けられた保持リブ３９を介して突設される。
【００２５】
第二の爪４２の先端面は断面略逆Ｊ字形に湾曲形成されて第二の支持軸３６の周面に接触あるいは近接対向するが、この対向方向は、第一の爪３８の凹部４０の開口、換言すれば、第一の支持軸３１に対する第一の爪３８の嵌入方向とは反対方向となる。例えば、第二の爪４２が第二の支持軸３６に前方あるいは左方向から対向する場合には、第一の爪３８の凹部４０の開口が後方から前方又は右方向から左方向にかけて指向し、第二の爪４２が第二の支持軸３６に後方あるいは右方向から対向する場合には、第一の爪３８の凹部４０の開口が前方から後方又は左方向から右方向にかけて指向する（図１１、図１２、図１５、図１６等参照）。
【００２６】
このように構成されたヒンジ機構３０は、第一の支持軸３１の着脱可能域３３に第一の爪３８が嵌合した場合には、第二の収納ケース２０Ａの着脱不能域３４に対するスライドと着脱を可能とし、第二の収納ケース２０Ａの自由な揺動を規制する。また、第一の支持軸３１の着脱不能域３４に第一の爪３８がスライドし、第二の支持軸３６の周面に第二の爪４２が接触あるいは近接対向した場合には、第二の収納ケース２０Ａの自由な揺動を可能とし、所定の回転角度で揺動した第二の収納ケース２０Ａの着脱可能域３３へのスライドを規制するよう機能する。これにより、第一、第二の収納ケース２０・２０Ａは、着脱が規制される接合状態となる。
【００２７】
上記構成において、図３、図４における分離した第一、第二の収納ケース２０・２０Ａを接合する場合には、先ず、第一、第二の収納ケース２０・２０Ａをそれぞれ起立させて第一の収納ケース２０の後方に第二の収納ケース２０Ａを配し（図５、図６参照）、第一の収納ケース２０における各第一の支持軸３１の着脱可能域３３に第二の収納ケース２０Ａにおける第一の爪３８の凹部４０を後方から嵌入して規制リブ３５に非接触の状態（図７、図８参照）とし、その後、各第一の支持軸３１の着脱可能域３３から着脱不能域３４に第二の収納ケース２０Ａをその自重でスライド（図９、図１０参照）させれば、第一、第二の収納ケース２０・２０Ａを揺動可能に接合することができる。
【００２８】
第一の支持軸３１の着脱可能域３３に第一の爪３８を嵌入すると、第二の爪４２は、第二の支持軸３６から離れた軸方向上部に位置し、第二の支持軸３６の周面に干渉して対向することがない（図７参照）。この際、着脱可能域３３の規制リブ３５は、軸方向に伸びているので、第一の爪３８の着脱不能域３４方向に対するスライドと取り外しとを許容するものの、第一の爪３８における凹部４０の開口端面４１に接触してその揺動を所定の回転角の範囲内に抑制する（図３、図７、図８参照）。したがって、第二の収納ケース２０Ａは、ある程度の回転角度で揺動するが、無用な揺動については規制される。また、規制リブ３５により特定方向からでなければ第一の爪３８の嵌入が不可能になるので、上下方向を間違えた接合ミス等が有効に防止される。
【００２９】
第一の爪３８を第一の支持軸３１の着脱可能域３３から着脱不能域３４に揺動させることなくスライドさせ、着脱不能域３４側の支持リブ３２の内面に接触停止させると、第二の爪４２は、第二の支持軸３６の周面に進出して前方側から一部重なった状態で対向する（図９参照）。この際、第一の爪３８は、着脱不能域３４に揺動の障害となる規制リブ３５が存在しないので、自由に揺動可能な状態（本実施形態では９０°揺動する）となる（図１３参照）。また、揺動させることなくスライドさせた第一の爪３８は、軸方向に沿う着脱可能域３３へのスライド復帰が確保される。
【００３０】
これに対し、第二の爪４２が第一の爪３８における凹部４０の開口とは反対側の方向から第二の支持軸３６の周面に接触干渉し、対立する第一の爪３８と第二の爪４２の先端部４３とが第一、第二の支持軸３１・３６を実質的に挟持した状態となるので、第二の収納ケース２０Ａを取り外す作業が規制される。また、着脱不能域３４にスライドした第一の爪３８を所定の角度で揺動させると、規制リブ３５の端部が第一の爪３８の凹部周縁に接触して着脱不能域３４から着脱可能域３３へのスライドを制限し、この制限を通じて第二の収納ケース２０Ａの脱落が防止される。また、所定の角度で揺動される第二の爪４２が着脱可能域３３側の支持板３７の内面に接触するので、第二の収納ケース２０Ａの着脱不能域３４から着脱可能域３３に対するスライドが規制され、この規制を通じて第二の収納ケース２０Ａの脱落が上記と同様に防止される。
【００３１】
接合状態の第一、第二の収納ケース２０・２０Ａを分離して取り外す場合には、第二の収納ケース２０Ａを揺動させて各第一の爪３８における凹部４０の開口を規制リブ３５が存在する前方側に向け（第一の支持軸３１に第一の爪３８を嵌入させる場合の角度状態）、各第一の支持軸３１の着脱不能域３４から着脱可能域３３に第一の爪３８をスライドさせた後、各第一の支持軸３１から第一の爪３８を後方に移動させて取り外せば、第一、第二の収納ケース２０・２０Ａを分離することができる。
【００３２】
上記構成によれば、装着姿勢を個別具体的に調整可能な第一、第二の収納ケース２０・２０Ａに回路基板ＣＳ等を含む制御装置を収納し、この状態で着脱自在に制御装置を遊技機１に揺動可能に装着するので、回路基板ＣＳを含む制御装置の交換作業を容易化したり、スペース効率を著しく向上させることができる。この効果は、技術的な性能と同様に美的外観や音響効果も重視され、流行等に左右されてライフサイクルが短く、新規な回路基板ＣＳ等の交換頻度の高い遊技機１の場合にはきわめて有益である。また、ヒンジ機構３０を、第一の支持軸３１、第二の支持軸３６、第一の爪３８、第二の爪４２から構成するので、構成の大幅な簡素化が期待できる。したがって、部品点数の増加やコスト高を招くことなく、ヒンジ機構３０の揺動や着脱を容易化することができる。
【００３３】
また、第二の収納ケース２０Ａのスライドに基づく移動により、ヒンジ機構３０の揺動や着脱を制限することができるので、遊技機１の状態に応じて第二の収納ケース２０Ａをスライドさせれば、第二の収納ケース２０Ａの不用意な脱落を招くことがない。例えば、遊技機１の出荷時や運搬時に第一、第二の収納ケース２０・２０Ａを図１３、図１７の状態に接合しておけば、これらが振動等により分離して脱落することがない。よって、脱落に伴う第一、第二の収納ケース２０・２０Ａや制御装置の損傷のおそれを未然に防止することが可能になる。
【００３４】
また、ケース２１と蓋体２２とを合成樹脂により透明に成形するので、収納される回路基板ＣＳ等の複雑な形状や構成に容易に対応したり、量産性の向上を図ることができ、しかも、回路基板ＣＳの観察や把握が実に容易となる。さらに、第二の収納ケース２０Ａによる上方の着脱可能域３３から下方の着脱不能域３４に対する移行については、自重を利用してスライドさせた配置とするので、第二の収納ケース２０Ａが重力に逆らって自然に上昇し、着脱可能域３３から外れることがない。したがって、第二の収納ケース２０Ａの接合状態からの脱落をより一層有効に防止することができ、しかも、作業の著しい効率化等を図ることが可能になる。
【００３５】
次に、図１９ないし図２１は本発明の第２の実施形態を示すもので、この場合には、第二の支持軸３６を軸方向側に直線的に伸長形成して伸長部３６ａを形成し、各第一の支持軸３１の着脱可能域３３に第一の爪３８が嵌合する場合には、第二の支持軸３６の一部に第二の爪４２を対向させ、第一、第二の支持軸３１・３６に沿う第二の収納ケース２０Ａの第一、第二の爪３８・４２の安定したスライドと着脱とを可能にするとともに、規制リブ３５により第二の収納ケース２０Ａの自由な揺動を規制し、各第一の支持軸３１に嵌合した第一の爪３８が着脱可能域３３から着脱不能域３４にスライドし、第二の支持軸３６の残部に第二の爪４２が対向する場合には、第二の収納ケース２０Ａの自由な揺動を可能とし、所定の角度で揺動した第二の収納ケース２０Ａの着脱可能域３３へのスライドを規制リブ３５と支持板３７により規制するようにしている。
【００３６】
第一、第二の支持軸３１・３６は、その周面長手方向の一部に平坦面３６ｂ・３６ｃが切り欠かれる。この平坦面３６ｂ・３６ｃは、第二の収納ケース２０Ａが着脱可能域３３に嵌合する状態の場合には、第一、第二の爪３８・４２の先端部４３に僅かな隙間を介して対向する。その他の部分については、上記実施形態と同様であるので説明を省略する。
本実施形態においても上記実施形態と略同様の作用効果が期待でき、しかも、第二の支持軸３６の周面に第二の爪４２が干渉して対向する場合にも、第一の支持軸３１に沿う第二の収納ケース２０Ａのスライドと着脱とを可能とし、かつ第二の収納ケース２０Ａの無用な揺動を規制することができるのは明らかである。
【００３７】
なお、上記実施形態では第一、第二の収納ケース２０・２０Ａをヒンジ機構３０により接合したが、何らこれに限定されるものではない。例えば、第一、第二の収納ケース２０・２０Ａに他のケースや回転体等をヒンジ機構３０で同様に接合することも可能である。また、第一、第二の支持軸３１・３６を中実、中空いずれにも形成することができるし、第一、第二の支持軸３１・３６や第一、第二の爪３８・４２を必要に応じ、２本、３本、４本以上に増やしても良い。また、規制リブ３５は、複数の着脱可能域３３に突設することもできるし、特定の着脱可能域３３に突設しても良い。
【００３８】
さらに、上記実施形態では第一、第二の収納ケース２０・２０Ａを遊技機１の背面に単に設置したものを示したが、何らこれに限定されるものではない。例えば図２２に示すように、第一、第二の収納ケース２０・２０Ａに、ヒンジ機構３０の設置箇所とは異なる面に位置する取り付け機構５１を配設し、この取り付け機構５１により、接合状態の第一、第二の収納ケース２０・２０Ａを本体部材３に装着可能な遊技盤３００の背面に装着したり、あるいは遊技盤３００に装着可能な支持体５２に装着することも可能である。また、取り付け機構５１を、本体部材３に装着された遊技盤３００の背面や支持体５２に配設するようにしても良い。
【００３９】
係る実施形態では遊技盤３００あるいは支持体５２に装着した第一、第二の収納ケース２０・２０Ａのいずれか一方の取り付け機構５１の解除により、ヒンジ機構３０に基づく揺動を自在になるようにし、この揺動により露出するスペースＳに回路基板ＣＳ´等の部品を配設してスペース効率を向上させるようにしている。
【００４０】
【発明の効果】
以上のように本発明によれば、交換作業の容易化やスペース効率を向上させ、部品点数の増加やコスト高を招くことなくヒンジ機構の回転や着脱を容易化することができるという効果がある。また、ヒンジ機構の回転や着脱を一定の場合にのみ実現することができる。
さらに、第一、第二の回転体の少なくともいずれか一方がケースの場合、ケースを閉じている蓋体を開放すれば、ケースから回路部品等の物品を取り出して簡単に交換することが可能になる。
【図面の簡単な説明】
【図１】本発明に係る遊技機のヒンジ機構の実施形態における遊技機の正面側を示す全体斜視図である。
【図２】本発明に係る遊技機のヒンジ機構の実施形態における遊技機の背面側を示す全体斜視図である。
【図３】本発明に係る遊技機のヒンジ機構の実施形態における第一、第二の収納ケースの分離状態を示す正面図である。
【図４】図３の説明図である。
【図５】本発明に係る遊技機のヒンジ機構の実施形態における第一の収納ケースの後方に第二の収納ケースを隣接配置した状態を示す正面図である。
【図６】図５の説明図である。
【図７】本発明に係る遊技機のヒンジ機構の実施形態における第一の支持軸の着脱可能域に第一の爪の凹部を嵌入した状態を示す正面図である。
【図８】図７の説明図である。
【図９】本発明に係る遊技機のヒンジ機構の実施形態における第一の支持軸の着脱可能域から着脱不能域に第一の爪をスライドさせた状態を示す正面図である。
【図１０】図９の説明図である。
【図１１】図９のＡ‐Ａ線断面図である。
【図１２】本発明に係る遊技機のヒンジ機構の実施形態における第一の支持軸に対する第一の爪の着脱可能な揺動範囲を示す断面説明図である。
【図１３】本発明に係る遊技機のヒンジ機構の実施形態における第一の支持軸に対する第一の爪の着脱不能な揺動範囲を示す断面説明図である。
【図１４】本発明に係る遊技機のヒンジ機構の実施形態における第一の支持軸と規制リブを示す説明図である。
【図１５】図９のＢ‐Ｂ線断面図である。
【図１６】本発明に係る遊技機のヒンジ機構の実施形態における第二の支持軸に対する第二の爪の着脱可能な揺動範囲を示す断面説明図である。
【図１７】本発明に係る遊技機のヒンジ機構の実施形態における第二の支持軸に対する第二の爪の着脱不能な揺動範囲を示す断面説明図である。
【図１８】本発明に係る遊技機のヒンジ機構の実施形態における第二の支持軸と支持板を示す説明図である。
【図１９】本発明に係る遊技機のヒンジ機構の第２の実施形態を示す正面図である。
【図２０】本発明に係る遊技機のヒンジ機構の第２の実施形態を示す断面説明図である。
【図２１】本発明に係る遊技機のヒンジ機構の第２の実施形態を示す断面説明図である。
【図２２】本発明に係る遊技機のヒンジ機構の他の実施形態を示す斜視説明図である。
【符号の説明】
１          遊技機
３          本体部材
２０        第一の収納ケース（第一の回転体）
２０Ａ      第二の収納ケ−ス（第二の回転体）
２１        ケース
２２        蓋体
３０        ヒンジ機構
３１        第一の支持軸
３３        着脱可能域
３４        着脱不能域
３５        規制リブ
３６        第二の支持軸
３７        支持板
３７Ａ      支持板
３８        第一の爪
４０        凹部
４１        開口端面
４２        第二の爪
４３        先端部
５２        支持体
３００      遊技盤
ＣＳ        回路基板
ＣＳ´      回路基板
【図１】
2004313330.tif 000003
【図２】
2004313330.tif 000004
【図３】
2004313330.tif 000005
【図４】
2004313330.tif 000006
【図５】
2004313330.tif 000007
【図６】
2004313330.tif 000008
【図７】
2004313330.tif 000009
【図８】
2004313330.tif 000010
【図９】
2004313330.tif 000011
【図１０】
2004313330.tif 000012
【図１１】
2004313330.tif 000013
【図１２】
2004313330.tif 000014
【図１３】
2004313330.tif 000015
【図１４】
2004313330.tif 000016
【図１５】
2004313330.tif 000017
【図１６】
2004313330.tif 000018
【図１７】
2004313330.tif 000019
【図１８】
2004313330.tif 000020
【図１９】
2004313330.tif 000021
【図２０】
2004313330.tif 000022
【図２１】
2004313330.tif 000023
【図２２】
2004313330.tif 000024